(57)【要約】【課題】  本発明は、乾燥地帯での砂漠化の防止を図り、砂漠化した土地の緑化と砂漠土壌の肥沃化の効率的なシステムを提案するもので、かつ、それに用いる砂漠地帯の作物圃場での水分蒸発を極限最小とし、適量給水する素焼の貯水壷に関するものである。【解決手段】  海水、河川水、地下水などを水源とし、海水など必要に応じて脱塩処理装置で脱塩処理して淡水化された水源、河川水など必要に応じて浄化槽で浄化された水源を受水装置に貯水し、給水タンクに送給し、養液ミネラルを前記給水タンクに混合し、一方、砂漠地帯に原水供給幹線を配設し、その両側に原水供給支線を魚骨方式に配設し、原水供給支線には素焼の貯水壷の素焼樹根八方壷、素焼平板壷、素焼湿潤筒壷などを配してなる乾燥地帯での砂漠化の防止及び砂漠地帯の緑化・肥沃化システムである。【選択図】図１
2009028020.tif 000002
【特許請求の範囲】
【請求項１】
海水、河川水、地下水などを水源とし、該水源のうち、海水など必要に応じて脱塩処理装置で脱塩処理して淡水化された水源、河川水など必要に応じて浄化槽で浄化された水源を受水装置に貯水し、必要に応じて給水タンクに送給し、整備される作物圃場に適した養液ミネラルを前記給水タンクに混合し、一方、砂漠地帯の主として砂砂漠に原水供給幹線を配設し、その両側に原水供給支線を魚骨方式に配設し、原水供給支線には素焼の貯水壷の素焼樹根八方壷、素焼平板壷、素焼湿潤筒壷などを配してなる乾燥地帯での砂漠化の防止及び砂漠地帯の緑化・肥沃化システム
【発明の詳細な説明】
【技術分野】
【０００１】  本発明は、乾燥地帯での砂漠化の防止を図り、砂漠化した土地の緑化と砂漠土壌の肥沃化の効率的なシステムを提案するもので、かつ、それに用いる砂漠地帯の作物圃場での水分蒸発極限最小適量給水装置に関するものである。
【背景技術】
【０００２】  一般に砂漠地帯とは、乾燥地帯において長期間の蒸発量が降水量よりも大きく、草木も繁殖しにくい不毛の荒地とされており、砂漠では、きびしい乾燥度のため育つ植物の種類は少なく、常緑多年草のサボテン、アロエ、龍舌蘭など、厚い茎や葉に水分を貯蔵する植物や、マツバギクなど水分があると生育し、乾燥期には休眠するものや、また、深い根が地下水面まで達するものなどがあるとされている。【０００３】  また、動物もラクダ、ダチョウなどのほかは、小動物だけで種類も少ないが、水分さえ供給すれば、肥沃な耕地になるため、河川、泉、井戸などによるオアシスは「砂漠の島」として古くから人類の生活舞台になっている。【０００４】  砂漠といってもいろいろなものがあり、海岸から遠い内陸盆地や、常に高気圧が覆う中緯度の大陸西部などに分布しており、まったく草木のない砂漠も見られる。日中の気温は４０〜６０度に達し、夜は０℃以下となるほど気温の日較差が大きく、このため岩石の表面が崩壊し、岩くずができている。また、強風が吹きやすいため、風で岩くずが吹き飛ばされた地域では岩だけの岩石砂漠となっており、風食をうけた三稜石などの礫が残っているものを礫砂漠とされ、風で運ばれた砂が堆積して砂砂漠となり、砂丘ともなっており、一般に、砂漠の大部分は岩石砂漠で、その一部が砂砂漠となっていることが多い。さらに、ごくまれにある降雨は、夕立型の豪雨で布状洪水となり、このときだけは水が流れる谷（ワジ）を作るが、その末端は砂漠中に消えてしまい、ここには厚い粘土層だけの粘土砂漠もできる。【０００５】  砂漠として知られているものとして、アフリカでは代表的なサハラ砂漠（北アフリカ）のほか、北アフリカでリビヤ砂漠、アフリカ北東部のヌヒヤ砂漠、アフリカ南部のカラハリ砂漠が知られ、中近東ではシリヤ砂漠のほか、ルブウルハーク砂漠、ネフード砂漠、ルート砂漠が知られ、ロシア・中国・アジア圏ではロシアのカビール砂漠、カラクム砂漠、レキジルクーム砂漠、モンゴルのゴビ砂漠、中国新疆のタクラマカン砂漠、インドのタール砂漠、北米ではブラックロック砂漠、モハーベ砂漠、グレートソルクレーク砂漠、南米ではアタカマ砂漠、オーストラリアではグレートビクトリア砂漠、グレートサンディ砂漠、ギブスン砂漠、シンプソン砂漠などがあるが、種々の形態に分かれている【０００６】  代表的なサハラ砂漠では、面積約７５０万平方キロの約８分の１はエルグ（砂砂漠）で、残りはハマダ（岩石砂漠）となっている。年平均降水量は１００ミリ以下、気温は夏で５０度以上、冬は氷点下を記録し、１日のうちでも昼と夜の気温の差は非常に激しくなっている。また、ゴビ砂漠では夏は３０度以上、冬は零下２０度以下の気温となり、年平均降水量は周辺部で３００〜４００ミリ、内部では２００〜３００ミリほどで、７〜８月に集中し、多くは夕立ち型の強雨となっている。さらに、リビア砂漠では、地質的に南部で古代変成岩や花崗岩からなっており、北に進むにつれて風化による沈殿物の層になっている。【０００７】  インドと西パキスタンとの国境地帯にあるタール砂漠では、北西部は砂砂漠、南東部は岩石砂漠となっている。【０００８】  砂漠地帯は、全世界の陸地の約３０％を占めており、中央ア���アやアフリカでは、その面積は毎年増加しており、その原因として挙げられるものとして、樹木の乱伐や酸性雨などの環境汚染、降雨量の少なくなる地域の増加、土地に保水性がないため植物の枯渇などがあげられている。
【発明の開示】
【発明が解決しようとする課題】
【０００９】  こうした環境を考慮して数多くの砂漠緑化と肥沃化の技術開発が進められており、乾燥地帯での砂漠化の防止及び砂漠地帯の緑化・肥沃化を配慮して多様な実験が進められ、海水や雨水利用による砂漠の緑化や、安定的な根付などが進められてきており、２０世紀になってダム・用水路網が建設され、総合的に開発された地方（ナイル川上流のスーダン、インダス川下流のシンド、中央アジアのシル・アム流域、アメリカ西部の総合開発地域など）もある。また、地下資源が発見され、遠方から給水する鉱山都市が成立した地方もあり、今後の開発が期待される砂漠も少なくない。【００１０】  そのため、砂漠緑化により砂漠化の拡大を効果的に防止し、砂漠への降雨を砂漠の土壌中に確保し、調節しながら作物生産に有効利用して砂漠での作物生産を可能にし、地下水や海水の利用にあたっては地下水の汲み上げに伴う塩害の防止を図り、海水の利用では海水淡水化、塩水灌漑、透過気化、凝結結露などが展開されてきたが、砂漠の特異性から有効な手段とはならなかった。
【課題を解決するための手段】
【００１１】    本発明は、乾燥地帯での砂漠化の防止を図り、砂漠化した土地の緑化と砂漠土壌の肥沃化を目的とし、世界各地での砂漠の本質を解明し、特に影響の大きい砂砂漠を中心として砂漠化した土地の緑化と砂漠土壌の肥沃化の技術開発に全力をあげてきた。【００１２】  以下に本発明の乾燥地帯での砂漠化の防止及び砂漠地帯の緑化・肥沃化システムについて、具体的に図１に基づき詳細に説明すると、海水１、河川水２、地下水３などを水源とし、該水源のうち、海水１など砂漠の肥沃化に有害な塩分の除去のため必要に応じて脱塩処理装置５で脱塩処理して淡水化し、河川水２など漂流物の除去や汚泥の清浄化などが必要なものは必要に応じて浄化槽４で浄化して水源とし、地下水３は、数百メートル以上の深層地下水を汲み上げるのが理想的で、土壌・地層・岩石などの空隙を満たしており、ケイ酸、鉄、硫黄、マグネシウム、カリウム、石灰などを含有するものが多く、それらの含有物は有益、有害を選別して水源とし、施工する砂漠地帯では、各種の水源を有効に活用する必要があり、海水１、河川水２、地下水３などのほか、降雨水の活用を図るのはいうまでもなく、砂漠地帯の緑化・肥沃化に有効な各種の水源を受水装置６に貯水する水源区域とする。【００１３】  前記水源区域で調達される必要な水源は、受水装置６に貯水されており、受水装置６の貯水は給水区域の給水タンク７に必要に応じて送給するが、現地監視盤１２でコントロールされる発電機１０で駆動するポンプ１１で前記給水タンク７に送給し、必要に応じて養液ミネラル混合機８の養液ミネラルを前記給水タンク７に混合し，整備される作物圃場に適した養液ミネラル入りの原水が供給される。給水タンク７に貯蔵されている原水は、送出ポンプ１３によって原水供給区域に供給されている。これら給水区域のユニットは他のユニットを統合して中央監視センター９で操作されている。【００１４】  一方、砂漠地帯の主として砂砂漠１４に原水供給幹線１５を敷設し、その両側に原水供給支線１６を魚骨方式に配設して原水供給区域とし、原水供給支線１６には砂漠地帯の作物圃場の水分蒸発を極限最小とし、適量給水する素焼の貯水壷１７を配設しており、素焼の貯水壷１７は素焼樹根八方壷１８、素焼平板壷１９、素焼湿潤筒壷２０などを用いて複数配設してなるもので、素焼の貯水壷１７は、貯水壷は釉薬をかけないで低い熱で焼いた素焼としており、砂漠への水分供給が間断なく行われ、緑化のための種苗の育成も順調に進むことが確認されている。【００１５】  素焼の貯水壷１７は、砂漠の地質や、育成する植物の種類によって素焼樹根八方壷１８、素焼平板壷１９、素焼湿潤筒壷２０などが配設されるもので、複数用いてもよいことはいうまでもない。また、形状を変化させたり、底部に排水孔を配設することも自由であることはいうまでもない。
【発明の効果】
【００１６】  以上説明したように、本発明によれば、乾燥地帯で急速に進んでいる砂漠化の防止が図られるばかりか、砂漠化した土地の緑化が砂漠の地質に応じて進められ、養液ミネラルの供給により砂漠土壌の肥沃化の効率的な展開がなされるようになった。かつ、それに用いる砂漠地帯の作物圃場での水分蒸発を極限最小とし、適量給水する素焼の貯水壷に関するものである。【００１７】  また、砂漠化の防止及び砂漠地帯の緑化・肥沃化のための水源について、海水１、河川水２、地下水３などの水源を用いられているが、複合的に使われており、該水源のうち、海水１など砂漠の肥沃化に有害な塩分の除去については、脱塩処理装置５で脱塩処理して淡水化し、河川水２など漂流物の除去や汚泥の清浄化のために浄化槽４で浄化して水源とし、地下水３は、数百メートル以上の深層地下水を汲み上げるのが理想的で、地層によっては数千メートルの掘削が行われている。地下水の中にはケイ酸、鉄、硫黄、マグネシウム、カリウム、石灰などが含有しており、それらの含有物のなかの有益物は別途活用することができる。
【産業上の利用可能性】
【００１８】  本発明については、傾斜型農地などの農作物の育成にも役立ち、農地の改良も格段の改良が考えられる。
【図面の簡単な説明】
【００１９】
【図１】砂漠化の防止及び砂漠地帯の緑化・肥沃化システムの概要図。
【図２】素焼樹根八方壷の斜面図。
【図３】素焼平板壷の斜面図。
【図４】素焼湿潤筒壷断面図。
【符号の説明】
【００２０】  １：海水
２：河川水
３：地下水
４：浄化槽
５：脱塩処理装置
６：受水装置
７：給水タンク
８：養液ミネラル混合機
９：コントロールセンター
１０：発電機
１１：ポンプ
１２：現地監視盤
１３：送出ポンプ
１４：砂砂漠
１５：原水供給幹線
１６：原水供給支線
１７：素焼の貯水壷
１８：素焼樹根八方壷
１９：．素焼平板壷
２０：素焼湿潤筒壷
【図１】
2009028020.tif 000003
【図２】
2009028020.tif 000004
【図３】
2009028020.tif 000005
【図４】
2009028020.tif 000006